(57)【要約】【課題】パネルの厚みに対応してすっきりとした設置状態で取り付けできる紙巻器を提供する。【解決手段】パネルに埋め込み状に取り付けられる紙巻器８であって、パネルには下端が開放された下向きコの字状の切り欠きを形成しておき、この切り欠きの内周に嵌め込まれてトイレットペーパーを保持可能な下向きコの字状の本体枠部１４と、切り欠きの前面外周を覆うコの字状をなしパネルの前面に当接される鍔部１５とを備えて紙巻器８を形成し、本体枠部１４にはボルト１８により前後移動可能に当て板１９，１９，１９を設け、この当て板１９，１９，１９をパネルの裏側に当接させて固定する。【選択図】図６
2010119466.tif 000002
【特許請求の範囲】
【請求項１】
ロール状のトイレットペーパーを保持可能でパネルに埋め込み状に取り付けられる紙巻器であって、
前記パネルには、下端が開放された下向きコの字状の切り欠きが形成されているとともに、
紙巻器は、該切り欠きの内周に嵌め込まれてトイレットペーパーを保持可能な下向きコの字状の本体枠部と、前記切り欠きの前面外周を覆うコの字状をなし前記パネルの前面に当接される鍔部を備えている
ことを特徴とする紙巻器。
【請求項２】
前記本体枠部に、ボルトにより前後移動可能に当て板を設け、該当て板を前記パネルの裏側に固定したことを特徴とする請求項１に記載の紙巻器。
【請求項３】
パネルに形成された下向きコの字状の切り欠き内に、下向きコの字状の紙巻器の本体枠部を嵌め込み、紙巻器の下向きコの字状の鍔部をパネルの前面に当接させて該鍔部により前記切り欠きの前面外周を覆蓋するとともに、前記本体枠部に設けた当て板をボルトにより前後調整して該当て板をパネルの裏面に当接させて固定することを特徴とする紙巻器の取付方法。
【発明の詳細な説明】
【技術分野】
【０００１】
本発明は、パネルに埋め込み状に取り付けられる紙巻器、および、この紙巻器のパネルへの取付方法に関するものである。
【背景技術】
【０００２】
従来、カウンターの前板に紙巻器を取り付ける場合、カウンターの下方に十分な配管スペースを確保すると、紙巻器が前板から前方へ突出した収まりとなってしまう。この紙巻器の突出感をなくするために配管スペースの下に紙巻器を取り付けるものとすると、紙巻器の高さが低くなってしまい、非常に使い勝手が悪いものとなる。
そこで、特許文献１に開示されているように、カウンターの前板に孔を開けて、前板に埋め込み状に紙巻器を取り付けた構造のものが存在する。この構造では、カウンターの下方に配管スペースを確保することができ、また、紙巻器の取り付け高さを良好な位置に確保できるものである。
【特許文献１】特開平８−２５６９３６号公報
【発明の開示】
【発明が解決しようとする課題】
【０００３】
しかし、上記特許文献１に開示されているような紙巻器の取付構造においては、前板に長方形状の孔を開けて紙巻器を取り付けるため、長方形状の孔を開けることが面倒であり、また、紙巻器を取り付けるために補強を行う必要があり、紙巻器の取り付け施工に困難を伴うという問題点があった。
また、紙巻器を構成するケーシングの下底にゴミ等が溜まりやすく、紙巻器の下底部分の掃除が面倒になるという問題点があった。
【課題を解決するための手段】
【０００４】
本発明は、補強が不要となり、取り付け施工が容易で、配管スペースを確保しつつ良好な高さ位置に取り付けできる紙巻器、および、この紙巻器の取付方法の提供を目的とし、この目的の少なくとも一部を達成するために以下の手段を採った。
本発明の紙巻器は、ロール状のトイレットペーパーを保持可能でパネルに埋め込み状に取り付けられる紙巻器であって、前記パネルには下端が開放された下向きコの字状の切り欠きが形成されているとともに、紙巻器は、該切り欠きの内周に嵌め込まれてトイレットペーパーを保持可能な下向きコの字状の本体枠部と、前記切り欠きの前面外周を覆うコの字状をなし前記パネルの前面に当接される鍔部を備えていることを要旨とする。
【発明の効果】
【０００５】
本発明の紙巻器は、下向きコの字状の本体枠部と下向きコの字状の鍔部を備えて構成され、本体枠部はパネルに形成した下向きコの字状の切り欠きに嵌め込み、鍔部をパネルの前面に当接させることで、下向きコの字状の切り欠きを前面から隠すことができ、切り欠きの仕上げ不良などを良好に隠蔽させて、すっきりとした状態でパネルに紙巻器を取り付けることができ、取付状態において紙巻器の下端側は開放されているため、従来のように底側にゴミ等が溜まることがなく、掃除が容易であり、また、トイレットペーパーの着脱も容易なものとなる。
【０００６】
また、本発明の紙巻器において、前記本体枠部に、ボルトにより前後移動可能に当て板を設け、該当て板を前記パネルの裏側に固定した構成とすることもできる。
こうすれば、ボルトにより当て板を前後調整して、パネルの裏側に当て板を当接させて仮固定でき、また、この当て板をパネルの裏側に固定して、補強材を用いることなく強固にパネルに紙巻器を取り付けることができ、しかも、パネルの厚みに対応させて良好に紙巻器を取り付けできるものとなる。
【０００７】
また、本発明の紙巻器の取付方法は、パネルに形成された下向きコの字状の切り欠き内に、下向きコの字状の紙巻器の本体枠部を嵌め込み、紙巻器の下向きコの字状の鍔部をパネルの前面に当接させて該鍔部により前記切り欠きの前面外周を覆蓋するとともに、前記本体枠部に設けた当て板をボルトにより前後調整して該当て板をパネルの裏面に当接させて固定することを要旨とする。
こうすれば、パネルに形成した下向きコの字状の切り欠き内に本体枠部を嵌め込み、鍔部をパネルの前面に当接させて切り欠きを良好に隠すことができ、ボルトにより当て板を調節して、当て板と鍔部によりパネルを挟み込んだ状態で仮固定することができ、パネルの厚みに良好に対応させて、パネルの裏面に当て板を当接させた状態で当て板を固定することにより、厚みの異なるパネルに対し良好に対応して紙巻器を取り付けることができる。
【発明を実施するための最良の形態】
【０００８】
次に、本発明を実施するための最良の形態を実施例を用いて説明する。
図１は、手洗器とカウンターの斜視構成図であり、図２は、壁Ｗに手洗器とカウンターを設置した状態の側面構成図である。
手洗器１には水栓２が立設され、手洗器１の前面には手洗い前板３が、また、手洗器１の側端面には側板４が設けられている。
手洗器１から水平方向に延びてカウンター５が設けられ、このカウンター５は、部屋の壁Ｗに固設した支持ブラケット６，６により支持されて設置され、カウンター５の前面には前板（パネル）７が取り付けられている。この前板７の手洗器１側に紙巻器８が埋め込み状に取り付けられる。
【０００９】
カウンター５の設置状態では、図２に示すように、カウンター５の下方の前板７の裏側には、給水管１２および排水管１３を横引き状に配管するための配管スペースＳが確保され、この配管スペースＳの下部部位の前板７の下端側に埋め込み状に紙巻器８が取り付けられる。
この紙巻器８は、例えば床面Ｆから６５０ｍｍの高さ位置に配置され、使いやすい高さ位置に設定されている。
【００１０】
図３は、前板７に紙巻器８を取り付けた状態の前面側から視た斜視構成図であり、この紙巻器８にロール状のトイレットペーパー１１を保持させた状態は、図９の斜視図で示す。
紙巻器８には、上部に上下方向に揺動可能に紙切板９が設けられており、下方側にはロール状トイレットペーパー１１の芯に通される芯棒１０が設けられ、この芯棒１０に保持されてトイレットペーパー１１が交換可能に設けられる。
【００１１】
図４は、前板７に紙巻器８を取り付ける前の分解図であり、前板７には、下端が開放された下向きコの字状の切り欠き７ａが予め形成される。この切り欠き７ａに対し下方側から嵌め込み状に紙巻器８を取り付けることができる。
紙巻器８は、図５の前側からの拡大斜視図で、また図６に裏側から視た拡大斜視図で示すような構造となっており、下向きコの字状の本体枠部１４と、下向きコの字状の鍔部１５を備えている。本体枠部１４と鍔部１５を一体化する前の分解斜視図を図７に示す。
【００１２】
本体枠部１４は、水平な上水平片１４ａの左右両端から一体状に折り曲げて垂設された左右の垂下片１４ｂ，１４ｂにより下向きコの字状に形成されており、この本体枠部１４は後方側へ延びる幅長を有し、左右の垂下片１４ｂ，１４ｂの下端には、それぞれ外側に９０度折曲した下端鍔部１４ｃ，１４ｃが一体形成されており、この下端鍔部１４ｃ，１４ｃは、切り欠き７ａ内に本体枠部１４が嵌め込まれた時に前板７の下端に当接されるものである。
【００１３】
左右の垂下片１４ｂ，１４ｂのそれぞれの下端側には、横方向に貫通して芯棒１０を通すことのできる芯棒孔１６，１６が形成されている。また、左右の垂下片１４ｂ，１４ｂ間の上部部位に、前述した紙切板９が上下方向に揺動可能に設けられる。
この本体枠部１４の上水平片１４ａおよび左右の垂下片１４ｂ，１４ｂの後端縁には、外側へ９０度折曲された支持突片１７，１７，１７がそれぞれ突出形成されている。
【００１４】
本体枠部１４の３個所に形成された支持突片１７，１７，１７には、それぞれ図６に示すように、雌ネジを形成した雌ネジ孔１７ａ，１７ａ，１７ａが形成されており、この各雌ネジ孔１７ａ内にボルト１８が後方側から螺合されている。
各ボルト１８の前端側には、平板状の当て板１９，１９がそれぞれ固定されて設けられている。この各当て板１９には、ビス２１を通すビス孔１９ａが形成されている。
【００１５】
一方、鍔部１５は、水平な上水平片１５ａの左右両端側に一体状に垂設して左右の垂下片１５ｂ，１５ｂが形成されて下向きコの字状を成している。なお、鍔部１５の上水平片１５ａは、上向きに立ち上げ形成されたものである。
また、鍔部１５の左右の垂下片１５ｂ，１５ｂからそれぞれ後方側へ折り曲げ状にして接合片２０，２０が一体形成されており、この接合片２０の下部部位には芯棒１０を通す芯棒孔１６が形成されている。
【００１６】
この鍔部１５の各接合片２０，２０を、図６のように、本体枠部１４の左右の垂下片１４ｂ，１４ｂの内側に当接させて、本体枠部１４の芯棒孔１６と鍔部１５の芯棒孔１６を整合させた状態で、接合片２０を垂下片１４ｂにスポット溶接等の溶接手段で接合させることで、本体枠部１４と鍔部１５を図５および図６のように一体化させることができる。
この一体化させた状態で、前板７の切り欠き７ａの下方より本体枠部１４を上方へ押し込んで、本体枠部１４を切り欠き７ａの内周に嵌め込むことができ、この時に鍔部１５を前板７の前面に当接させることで、鍔部１５により切り欠き７ａの前面外周を覆って、切り欠き７ａを前面側から隠すことができ、切り欠き７ａにカケなどの仕上げ不良が発生していても、このカケなどを鍔部１５で良好に隠して、すっきりとした状態で図３および図９のように、前板７に紙巻器８を取り付けることができる。
【００１７】
この取付状態では、図１０の裏側からの斜視図で示すように、前板７の裏面よりも後方側へ突出して本体枠部１４が配置され、本体枠部１４の支持突片１７，１７，１７および当て板１９，１９，１９は前板７の裏側に配置されることとなる。
ここで裏側より各ボルト１８を締め付けてゆくと、各当て板１９は、図８に要部平面拡大図で示すように、やがては前板７の裏側にボルト１８の締め付け力で当接されることとなる。
この状態では、当て板１９，１９，１９と鍔部１５間で前板７を締め付けた状態となり、良好に紙巻器８が前板７に仮固定されることとなる。
【００１８】
この状態で紙巻器８の水平方向位置および垂直方向位置を調整して、良好な位置に紙巻器８をセットすることができ、その後に、各当て板１９に形成されているビス孔１９ａ内に裏側から図８のようにビス２１を入れて、ビス２１を前板７の裏面に締め付けることで、前板７の裏面に当て板１９，１９，１９が固定され、これにより前板７に強固に紙巻器８が取り付けられることとなる。
３枚の当て板１９，１９，１９により強固に補強された状態で前板７に紙巻器８が取り付けられるため、前板７の裏側に補強木等を設ける必要がなく、強固な取付状態を確保できるものである。
【００１９】
なお、ボルト１８は裏側から工具を用いて締め付けできるように、六角形状の頭部１８ｂを後端側に有し、前端側はカシメによりカシメ部１８ａを形成して当て板１９に固定されるものである。
なお、ボルト１８は、頭部１８ｂの部分に手で締め付けることのできる蝶部を設けた蝶ボルトで構成しても良い。
【００２０】
なお、鍔部１５側の接合片２０を本体枠部１４の垂下片１４ｂの外側に溶接で接合一体化させても良く、また、本体枠部１４と鍔部１５が最初から一体形成されたものであっても良く、このような場合でも、ボルト１８により当て板１９を前後方向に移動させて前板７の裏側に当て板１９を当接させ、その後にビス２１で当て板１９を前板７に固定して、強固に紙巻器８を取り付けできるものである。
【００２１】
なお、前板７は、その表面に貼着される化粧板の種類等により厚みが異なり、例えば樹脂のコート紙が貼着されている前板７では１５ｍｍの厚みであり、また、表面に樹脂のメラミン化粧板が貼着されている前板７では１９ｍｍの厚みである。このような厚みが異なる前板７に対しても、ボルト１８で当て板１９を前後方向に調節することで、前板７の厚みに対応して良好に紙巻器８を取り付けることができるものである。
【００２２】
本例の紙巻器８では、取付状態において、紙巻器８の下端側は開放されているため、取り付けられるトイレットペーパー１１の下部には何も存在せず、そのため、従来の紙巻器のようにトイレットペーパー１１の下方の底面にゴミが溜まるようなこともなく、トイレットペーパー１１の底側面を掃除する必要もなく、常に綺麗な状態に維持することができ、掃除も極めて楽なものとなる。また、紙巻器８の下端側は開放されているためトイレットペーパー１１の着脱も容易なものとなる。
【図面の簡単な説明】
【００２３】
【図１】手洗器とカウンターの斜視構成図である。
【図２】図１の手洗器とカウンターを壁の所定高さ位置に設置した状態の側面構成図である。
【図３】カウンターの前板に取り付けられた紙巻器の要部拡大斜視図である。
【図４】前板に形成された切り欠きに紙巻器を取り付ける前の分解斜視図である。
【図５】紙巻器を前方側から視た拡大斜視図である。
【図６】紙巻器を後方側から視た拡大斜視図である。
【図７】紙巻器を構成する本体枠部と鍔部を一体化させる前の分解斜視図である。
【図８】前板の切り欠きに紙巻器を取り付けた状態の要部拡大平面構成図である。
【図９】トイレットペーパーを取り付けた紙巻器の設置状態の前面から視た斜視構成図である。
【図１０】トイレットペーパーを取り付けた紙巻器の設置状態の前板の裏側から視た斜視構成図である。
【符号の説明】
【００２４】
１  手洗器
５  カウンター
７  前板（パネル）
７ａ  切り欠き
８  紙巻器
９  紙切板
１０  芯棒
１１  ロール状トイレットペーパー
１２，１３  配管
１４  本体枠部
１４ｃ  下端鍔部
１５  鍔部
１６  芯棒孔
１７  支持突片
１７ａ  雌ネジ孔
１８  ボルト
１８ａ  カシメ部
１８ｂ  頭部
１９  当て板
１９ａ  ビス孔
２０  接合片
２１  ビス
Ｓ  配管スペース
【図１】
2010119466.tif 000003
【図２】
2010119466.tif 000004
【図３】
2010119466.tif 000005
【図４】
2010119466.tif 000006
【図５】
2010119466.tif 000007
【図６】
2010119466.tif 000008
【図７】
2010119466.tif 000009
【図８】
2010119466.tif 000010
【図９】
2010119466.tif 000011
【図１０】
2010119466.tif 000012